(57)【要約】【課題】光源ランプを容易に且つ効果的に冷却することができるランプカバーおよび投射型映像表示装置を提供する。【解決手段】  光源ランプ１０から照射される光をＤＭＤ２により変調し、変調された光を光学レンズ４により拡大投影するプロジェクタ１００において、光源ランプ１０を覆うランプカバー１２を備え、ランプカバー１２は、金属から形成され、ランプカバー１２の両面に黒色塗装を施した。【選択図】図１
2006208507.tif 000002
【特許請求の範囲】
【請求項１】
光源ランプから照射される光を光学変調素子により変調し、変調された光を光学レンズにより拡大投影する投射型映像表示装置において、
前記光源ランプを覆うランプカバーを備え、
前記ランプカバーは、金属から形成され、
前記ランプカバーの両面に黒色塗装が施されていることを特徴とする投射型映像表示装置。
【請求項２】
光源ランプを覆うランプカバーであって、
前記ランプカバーの外面および内面のうち、少なくとも何れか一方に黒色塗装が施されていることを特徴とする光源ランプのランプカバー。
【請求項３】
前記ランプカバーの両面に黒色塗装が施されていることを特徴とする請求項２に記載の光源ランプのランプカバー。
【請求項４】
前記ランプカバーは、金属から形成されることを特徴とする請求項２又は３に記載の光源ランプのランプカバー。
【発明の詳細な説明】
【技術分野】
【０００１】
本発明は、ランプカバーおよび投射型映像表示装置に関する。
【背景技術】
【０００２】
従来、プロジェクタ等の投射型映像表示装置に備えられる高輝度な光源ランプが知られている。通常、当該光源ランプは、内面に反射鏡を有するランプハウジングにより覆われている。そして、当該ランプハウジングを内包するように密着して装着され、光源ランプの防爆機能や露光遮蔽機能を向上するランプカバーが設けられているものが知られている（特許文献１）。
【０００３】
ところで、光源ランプは、発熱量が大きいため、その発熱によって光源ランプが故障しないようにいくつかの対策が施されている。
【０００４】
具体的には、ランプハウジングの外面に黒色塗装を施して熱を吸収することにより、光源ランプの冷却効率を高めたものが知られている（特許文献２及び３）。
【特許文献１】特開２００３−２１７３３１
【特許文献２】特開２００２−１８９２５２
【特許文献３】特開２００１−３１８４２８
【発明の開示】
【発明が解決しようとする課題】
【０００５】
しかしながら、引用文献１に記載の発明のように、光源ランプにランプカバーを備えることとすると、せっかくランプハウジングの外面に黒色塗装を施しても、さらにランプカバーに覆われることとなるので、ランプハウジングとランプカバーの間で熱ごもりが発生し、結果として、光源ランプの冷却効率が低下するという問題がある。
【０００６】
また、そもそも、特許文献２及び３に記載の発明のように、ランプハウジングの外面に黒色塗装を施すこととすると、光源ランプ及びランプハウジングには各種端子等が接続されているため、光源ランプを黒色塗装する前に、これらの各種端子等をマスキングせねばならず、工程が多くかかるとともにコスト高となってしまうという問題があった。
【０００７】
本発明の課題は、光源ランプを容易に且つ効果的に冷却することができるランプカバーおよび投射型映像表示装置を提供することである。
【課題を解決するための手段】
【０００８】
請求項１に記載の発明は、光源ランプから照射される光を光学変調素子により変調し、変調された光を光学レンズにより拡大投影する投射型映像表示装置において、前記光源ランプを覆うランプカバーを備え、前記ランプカバーは、金属から形成され、前記ランプカバーの両面に黒色塗装が施されていることを特徴としている。
【０００９】
請求項２に記載の発明は、光源ランプを覆うランプカバーであって、前記ランプカバーの外面および内面のうち、少なくとも何れか一方に黒色塗装が施されていることを特徴としている。
【００１０】
請求項３に記載の発明は、請求項２に記載の光源ランプのランプカバーであって、前記ランプカバーの両面に黒色塗装が施されていることを特徴としている。
【００１１】
請求項４に記載の発明は、請求項２又は３に記載のランプカバーであって、前記ランプカバーは、金属から形成されることを特徴としている。
【発明の効果】
【００１２】
請求項１に記載の発明によれば、投射型映像表示装置は、光源ランプを覆うランプカバーを備え、ランプカバーは、金属から形成され、ランプカバーの両面に黒色塗装が施されているので、黒色塗装によりランプカバーの熱吸収が良くなることとなって、光源ランプを効果的に冷却することができる。
【００１３】
また、ランプカバーの外面又は内面のどちらか一方を黒色塗装する場合に比べて、マスキング等の工程を設けずに黒色塗装できるので、簡単に黒色塗装できることとなって、容易且つコストを抑えて光源ランプを効率的に冷却できるランプカバーを提供できる。
【００１４】
また、ランプカバーは、熱伝達性に優れた金属により形成されるので、より効率良く光源ランプから発生される熱を吸収することができ、光源ランプをより効果的に冷却することができる。
【００１５】
請求項２に記載の発明によれば、ランプカバーの外面および内面のうち、少なくとも何れか一方に黒色塗装が施されているので、黒色塗装によりランプカバーの熱吸収が良くなることとなって、光源ランプを容易に且つ効果的に冷却することができる。
【００１６】
請求項３に記載の発明によれば、請求項２に記載の発明と同様の効果が得られるのは勿論のこと、特に、ランプカバーの両面に黒色塗装が施されているので、ランプカバーの外面又は内面のどちらか一方を黒色塗装する場合に比べて、マスキング等の工程を設けずに黒色塗装できるので、簡単に黒色塗装できることとなって、容易且つコストを抑えて光源ランプを効率的に冷却できるランプカバーを提供できる。
【００１７】
請求項４に記載の発明によれば、請求項２又は３に記載の発明と同様の効果が得られるのは勿論のこと、特に、ランプカバーは、熱伝導性に優れた金属から形成されるので、より効率良く光源ランプから発生される熱を吸収することができ、光源ランプをより効果的に冷却することができる。
【発明を実施するための最良の形態】
【００１８】
以下、図を参照して本発明に係るランプカバーを実施するための最良の形態を詳細に説明する。本発明の実施形態では、プロジェクタ１００に備えられる光源ランプ１０のランプカバー１２を例示して説明する。なお、本発明のランプカバー１２はプロジェクタ１００に備えられる光源ランプ１０に装着するものとして限定されるものではない。
＜プロジェクタの構成＞
図１に本実施形態に係るプロジェクタ１００の主要な構成を示す。
【００１９】
プロジェクタ１００は、図１に示すように、光源１と、光源１から照射される光を変調するＤＭＤ（digital  micromirror  device）２と、光源１とＤＭＤ２との間に配置されるカラーホイール３と、ＤＭＤ２により変調された光を集光してスクリーンＳに拡大投影する光学レンズ４と、光源１を冷却するファン５と、これら各部を覆う筐体６等を備えて構成される。
【００２０】
光源１は、光源ランプ１０，光源ランプ１０を覆うランプハウジング１１，ランプハウジング１１を内包するように密着して光源ランプ１０を覆うランプカバー１２等を備えて構成される。ランプカバー１２の構造を図２に示すとともに、ランプカバー１２がランプハウジング１１に装着される様子を図３に示す。
【００２１】
光源ランプ１０は、例えば、メタルハライドランプや超高圧水銀ランプ等，高輝度，高効率な光源ランプであって、図３に示すように、発光管であるバルブ１０Ａとバルブ１０Ａに接続されるリード線１０Ｂ等を備えて構成される。
【００２２】
ランプハウジング１１は、略ラッパ状に形成されており、当該ラッパ形状の内部に光源ランプ１０を保持するとともに、光源ランプ１０全体を覆っている。ランプハウジング１１の外面は、例えば、ガラス材により形成されており、黒顔料等で黒色塗装されても良い。また、ランプハウジング１１の内面には、反射鏡が密着して設けられている。
【００２３】
ランプカバー１２は、図２に示すように、例えば、略ラッパ状に形成されており、ランプハウジング１１を密着して内包する孔部１２Ａと、当該孔部１２Ａの内面に設けられ、光源ランプ１０のリード線１０Ｂ等を引き出すための切欠部１２Ｂ等を備えて構成される。ランプカバー１２は、アルミニウム等の金属等の耐熱性が高く熱伝導性の良い材質から形成されることが好ましいが、耐熱性の高い樹脂等により形成されても良い。
【００２４】
また、ランプカバー１２は、外面及び内面の両面が黒顔料等で黒色塗装されている。
【００２５】
そして、ランプカバー１２は、図３に示すように、孔部１２Ａに、ランプハウジング１１を密着して内包することにより、光源ランプ１０をランプハウジング１１を介して覆っている。
【００２６】
また、光源１の近くにはファン５が設けられるとともに、光源１の近くの筐体６には、スリット６Ａが設けられ、プロジェクタ１００内外の換気が行われるようになっている。
【００２７】
ＤＭＤ２は、光源１から照射される光の光路上に配置され、光源１からの照射光を画像情報に応じて変調することにより光学像を形成する光学変調素子として機能する。なお、本発明に係る光学変調素子は、ＤＭＤ２に限定されるものではなく、液晶等の光学素子により構成されても良い。
【００２８】
カラーホイール３は、光源１から照射される光の光路上に配置され、光源１から照射される光を、Ｒ（赤），Ｇ（緑），Ｂ（青）の何れかの単色光に切り替える回転式の分割カラーフィルタである。カラーホイール３には、同期回路（図示しない）が接続されており、この同期回路によりカラーホイール３は回転制御されるように構成されている。
【００２９】
光学レンズ４は、ズームレンズ（図示省略）等により構成され、ＤＭＤ２によって変調された光（光学像）を集光してスクリーンＳに拡大投影する。
【実施例】
【００３０】
次に、上述のような構成のプロジェクタ１００における光源ランプ１０の冷却に関する実験結果を図１及び図４を参照しながら説明する。
【００３１】
本実験では、光源ランプ１０として超高圧水銀ランプ（１２０Ｗ  ＶＨＰランプ：三菱オスラム社製）を用い、プロジェクタ１００の電源を投入してから約２０分後における、バルブ１０Ａの略中央の上側（図１におけるＰ１）及び下側（図１におけるＰ２）とバルブ１０Ａの先端（図１におけるＰ３）の温度を測定した。また、ファン５として４０角ファンを用い、当該ファン５を７２００ｒｐｍ（rotation  per  minute）で回転させた。
また、測定時のプロジェクタ１００外部の気温は約２５℃であった。そして、ランプカバー１２の両面を黒色塗装した場合（実施例）としていない場合（比較例）とを比較した。実験結果を図４の表に示す。
【００３２】
図４に示すように、ランプカバー１２を黒色塗装した光源ランプ１０の温度は、バルブ１０Ａの略中央の上側及び下側において、それぞれ、９６３℃，９５０℃，４２８℃であった。これに対して、ランプカバー１２を黒色塗装していない光源ランプ１０の温度は、バルブ１０Ａの略中央の上側及び下側において、それぞれ、１０１２℃，１００３℃，４５２℃であった。ランプカバー１２を黒色塗装した光源ランプ１０の温度は、ランプカバ
ー１２を黒色塗装していない光源ランプ１０に比べ、バルブ１０Ａの略中央の上側及び下側において、それぞれ、４９℃及び５３℃低くなっており、バルブ１０Ａの先端においても、約２４℃低くなっていた。
【００３３】
この結果から、ランプカバー１２に黒色塗装を施すことにより、光源ランプ１０を効果的に冷却することができることが示された。
【００３４】
以上に説明した本実施形態に係るランプカバー１２及びプロジェクタ１００によれば、プロジェクタ１００は、光源ランプ１０を覆うランプカバー１２を備え、ランプカバー１２は、金属から形成され、ランプカバー１２の両面に黒色塗装が施されているので、黒色塗装によりランプカバー１２の熱吸収が良くなることとなって、光源ランプ１０を効果的に冷却することができる。
【００３５】
また、ランプカバー１２の外面又は内面のどちらか一方を黒色塗装する場合に比べて、マスキング等の工程を設けずに黒色塗装できるので、簡単に黒色塗装できることとなって、容易且つコストを抑えて光源ランプ１０を効率的に冷却できるランプカバー１２を提供できる。
【００３６】
また、ランプカバー１２は、熱伝達性に優れた金属によって形成されているので、より効率良く光源ランプ１０から発生される熱を吸収することができ、光源ランプ１０をより効果的に冷却することができる。
【００３７】
なお、ランプカバー１２は、外面及び内面のうちの何れか一方に黒色塗装されているものであってもよい。
【図面の簡単な説明】
【００３８】
【図１】本発系に係るプロジェクタの構成を示す図である。
【図２】本発明に係るランプカバーを示す側面図（図２（ａ））及び正面図（図２（ｂ））である。
【図３】本発明に係るランプカバーの光源ランプへの装着を示す図である。
【図４】本発明に係るランプカバーによる光源ランプの冷却効果を調べた実験結果を示す表である。
【符号の説明】
【００３９】
２  ＤＶＤ（光学変調素子）
４  光学レンズ
１０  光源ランプ
１２  ランプカバー
１００  プロジェクタ（投射型映像表示装置）
【図１】
2006208507.tif 000003
【図２】
2006208507.tif 000004
【図３】
2006208507.tif 000005
【図４】
2006208507.tif 000006